(57)【要約】【課題】撮影者が静止画を撮影する際の撮影の意図を反映した再生表示を行うことができる撮像装置および当該撮像装置を備えた通信システムを提供する。【解決手段】所定の視野領域から光を集光し、この集光した光を光電変換することによって画像データを生成する撮像部と、前記撮像部が生成した画像データに対応する画像を表示する表示部と、前記撮像部における撮影を指示するレリーズ信号を含む信号の入力を受け付ける入力部と、当該撮像装置に対して施される操作を判定する操作判定部と、前記操作判定部が判定した操作のうち前記入力部によって前記レリーズ信号が入力される前に行われた操作に基づいて、前記撮像部が撮影した撮影画像に所定の変換を施した変換画像を生成する変換画像生成部と、前記撮影画像および該撮影画像をもとに前記変換画像生成部が生成した前記変換画像を前記表示部に所定の順序で連続的に表示させる制御を行う制御部と、を備える。【選択図】        図１
2010193314.tif 000002
【特許請求の範囲】
【請求項１】
画像を撮像して該画像の電子的な画像データを生成する撮像装置であって、
所定の視野領域から光を集光し、この集光した光を光電変換することによって画像データを生成する撮像部と、
前記撮像部が生成した画像データに対応する画像を表示する表示部と、
前記撮像部における撮影を指示するレリーズ信号を含む信号の入力を受け付ける入力部と、
当該撮像装置に対して施される操作を判定する操作判定部と、
前記操作判定部が判定した操作のうち前記入力部によって前記レリーズ信号が入力される前に行われた操作に基づいて、前記撮像部が撮影した撮影画像に所定の変換を施した変換画像を生成する変換画像生成部と、
前記撮影画像および該撮影画像をもとに前記変換画像生成部が生成した前記変換画像を前記表示部に所定の順序で連続的に表示させる制御を行う制御部と、
を備えたことを特徴とする撮像装置。
【請求項２】
画像を含む情報を表示する表示装置との間で画像データを含む情報の通信を行う通信部をさらに備え、
前記制御部は、
前記通信部に対し、前記撮影画像および該撮影画像を用いて生成された前記変換画像を、前記表示部における表示順と同じ順序で前記表示装置へ連続的に送信させる制御を行うことを特徴とする請求項１に記載の撮像装置。
【請求項３】
前記制御部は、
前記変換画像の表示時間を前記撮影画像の表示時間よりも短くする制御を行うことを特徴とする請求項１または２に記載の撮像装置。
【請求項４】
前記変換画像は、前記撮影画像よりもデータ量が小さいことを特徴とする請求項１〜３のいずれか一項に記載の撮像装置。
【請求項５】
前記操作は、
ズーミング、露出補正またはパンニングであることを特徴とする請求項１〜４のいずれか一項に記載の撮像装置。
【請求項６】
前記変換画像生成部は、
前記操作がズーミングである場合、ズーム速度に応じて前記撮影画像を複数の倍率で拡大または縮小することによって複数の変換画像を生成し、
前記制御部は、
前記表示部に対し、前記撮影画像を表示した後、前記撮影画像から拡大倍率が小さい順または縮小倍率が大きい順に前記複数の変換画像を表示させる制御を行うことを特徴とする請求項５に記載の撮像装置。
【請求項７】
前記変換画像生成部は、
前記操作が露出補正である場合、前記撮影画像に対して互いに異なる複数の露出補正を施すことによって複数の変換画像を生成し、
前記制御部は、
前記表示部に対し、前記複数の変換画像を前記変換画像生成部が生成した順に表示させる制御を行うことを特徴とする請求項５に記載の撮像装置。
【請求項８】
前記変換画像生成部は、
前記操作がパンニングである場合、前記撮影画像の中で当該撮像装置の撮影前の動きの方向と反対方向に推移する複数の小領域を設定し、この設定した複数の小領域の画像を前記撮影画像と等しい面積にそれぞれ拡大することによって複数の変換画像を生成することを特徴とする請求項５に記載の撮像装置。
【請求項９】
前記制御部は、
前記表示部に対し、前記撮影画像を表示する前に、前記複数の変換画像を当該撮像装置の撮影前の動きに応じて表示させる制御を行うことを特徴とする請求項８に記載の撮像装置。
【請求項１０】
画像を含む情報を表示する表示装置と通信可能であり、画像を撮像して該画像の電子的な画像データを生成する撮像装置であって、
所定の視野領域から光を集光し、この集光した光を光電変換することによって画像データを生成する撮像部と、
前記撮像部が生成した画像データに対応する画像を表示する表示部と、
前記撮像部における撮影を指示するレリーズ信号を含む信号の入力を受け付ける入力部と、
当該撮像装置に対して施される操作を判定する操作判定部と、
前記撮像部が撮影した撮影画像に対し、該撮影画像に対応する撮影動作と該撮影動作の一つ前の撮影動作との間に施された操作に関する操作情報を関連付け、この関連付けた撮影画像および操作情報を前記表示装置へ送信する制御を行う制御部と、
を備えたことを特徴とする撮像装置。
【請求項１１】
画像を撮像して該画像の電子的な画像データを生成する撮像装置と、前記撮像装置と通信可能であり、画像を含む情報を表示する表示装置とを有する通信システムであって、
前記撮像装置は、
所定の視野領域から光を集光し、この集光した光を光電変換することによって画像データを生成する撮像部と、
前記撮像部が生成した画像データに対応する画像を表示する表示部と、前記撮像部における撮影を指示するレリーズ信号を含む信号の入力を受け付ける入力部と、
当該撮像装置に対して施される操作を判定する操作判定部と、
前記撮像部が撮影した撮影画像に対し、該撮影画像に対応する撮影動作と該撮影動作の一つ前の撮影動作との間に施された操作に関する操作情報を関連付け、この関連付けた撮影画像および操作情報を前記表示装置へ送信する制御を行う制御部と、
備え、
前記表示装置は、
前記撮像装置から送信されてきた撮影画像および該撮影画像と関連付けられた操作情報に基づいて、該撮影画像に所定の変換を施した変換画像を生成する変換画像生成部と、
前記撮影画像および該撮影画像をもとに前記変換画像生成部が生成した前記変換画像を前記表示部に所定の順序で連続的に表示させる制御を行う表示制御部と、
を備えたことを特徴とする通信システム。
【発明の詳細な説明】
【技術分野】
【０００１】
本発明は、画像を撮像して該画像の電子的な画像データを生成する撮像装置および当該撮像装置を備えた通信システムに関する。
【背景技術】
【０００２】
近年、画像を撮像して電子的な画像データを生成するデジタルカメラ等の撮像装置では、撮影画像を他の機器で再生したり、他の機器と通信することによって画像データを送受信したりすることが行われるようになってきている。撮像装置と通信可能な機器として、テレビ、プロジェクタ、パソコン、デジタルフォトフレームなどのように、撮像装置の液晶パネルよりも大画面の表示部を備えた機器を挙げることができる。このような機器で撮像装置が撮像した画像を表示すれば、大人数で画像を見て楽しむことができる。
【０００３】
大人数で画像を見て楽しむ場合、画像を単に再生するだけでは単調になってしまうおそれもある。そこで、よりエンターテイメント性に優れ、皆が見て楽しむことができる画像の再生表示方法が求められる。
【０００４】
このような状況の下、動画に関しては、フレームごとの映像の動きを検出することによって撮影者による操作を推定し、撮影者による撮影の意図を反映した重要なフレームを抽出して表示する技術が開示されている（例えば、特許文献１を参照）。
【０００５】
【特許文献１】特開２００４−８８３５２号公報
【発明の開示】
【発明が解決しようとする課題】
【０００６】
ところで、上述した動画の場合と同様に、静止画の場合にも撮影者の撮影の意図を反映した再生を行うことが考えられる。ここで、撮影者の撮影の意図を反映した静止画の再生方法としては、撮影者が撮影前に行った操作内容を追体験できるような再生を行うことが考えられる。しかしながら、従来の撮像装置では、撮影者による撮影前の操作内容を追体験することが可能な再生表示を行う技術は知られていなかった。
【０００７】
本発明は、上記に鑑みてなされたものであって、撮影者が静止画を撮影する際の撮影の意図を反映し、撮影者による撮影前の操作内容を追体験することが可能な再生表示を行うことができる撮像装置および当該撮像装置を備えた通信システムを提供することを目的とする。
【課題を解決するための手段】
【０００８】
上述した課題を解決し、目的を達成するために、本発明に係る撮像装置は、画像を撮像して該画像の電子的な画像データを生成する撮像装置であって、所定の視野領域から光を集光し、この集光した光を光電変換することによって画像データを生成する撮像部と、前記撮像部が生成した画像データに対応する画像を表示する表示部と、前記撮像部における撮影を指示するレリーズ信号を含む信号の入力を受け付ける入力部と、当該撮像装置に対して施される操作を判定する操作判定部と、前記操作判定部が判定した操作のうち前記入力部によって前記レリーズ信号が入力される前に行われた操作に基づいて、前記撮像部が撮影した撮影画像に所定の変換を施した変換画像を生成する変換画像生成部と、前記撮影画像および該撮影画像をもとに前記変換画像生成部が生成した前記変換画像を前記表示部に所定の順序で連続的に表示させる制御を行う制御部と、を備えたことを特徴とする。
【０００９】
また、本発明に係る撮像装置は、上記発明において、画像を含む情報を表示する表示装置との間で画像データを含む情報の通信を行う通信部をさらに備え、前記制御部は、前記通信部に対し、前記撮影画像および該撮影画像を用いて生成された前記変換画像を、前記表示部における表示順と同じ順序で前記表示装置へ連続的に送信させる制御を行うことを特徴とする。
【００１０】
また、本発明に係る撮像装置は、上記発明において、前記制御部は、前記変換画像の表示時間を前記撮影画像の表示時間よりも短くする制御を行うことを特徴とする。
【００１１】
また、本発明に係る撮像装置は、上記発明において、前記変換画像は、前記撮影画像よりもデータ量が小さいことを特徴とする。
【００１２】
また、本発明に係る撮像装置は、上記発明において、前記操作は、ズーミング、露出補正またはパンニングであることを特徴とする。
【００１３】
また、本発明に係る撮像装置は、上記発明において、前記変換画像生成部は、前記操作がズーミングである場合、ズーム速度に応じて前記撮影画像を複数の倍率で拡大または縮小することによって複数の変換画像を生成し、前記制御部は、前記表示部に対し、前記撮影画像を表示した後、前記撮影画像から拡大倍率が小さい順または縮小倍率が大きい順に前記複数の変換画像を表示させる制御を行うことを特徴とする。
【００１４】
また、本発明に係る撮像装置は、上記発明において、前記変換画像生成部は、前記操作が露出補正である場合、前記撮影画像に対して互いに異なる複数の露出補正を施すことによって複数の変換画像を生成し、前記制御部は、前記表示部に対し、前記複数の変換画像を前記変換画像生成部が生成した順に表示させる制御を行うことを特徴とする。
【００１５】
また、本発明に係る撮像装置は、上記発明において、前記変換画像生成部は、前記操作がパンニングである場合、前記撮影画像の中で当該撮像装置の撮影前の動きの方向と反対方向に推移する複数の小領域を設定し、この設定した複数の小領域の画像を前記撮影画像と等しい面積にそれぞれ拡大することによって複数の変換画像を生成することを特徴とする。
【００１６】
また、本発明に係る撮像装置は、上記発明において、前記制御部は、前記表示部に対し、前記撮影画像を表示する前に、前記複数の変換画像を当該撮像装置の撮影前の動きに応じて表示させる制御を行うことを特徴とする。
【００１７】
また、本発明に係る撮像装置は、画像を含む情報を表示する表示装置と通信可能であり、画像を撮像して該画像の電子的な画像データを生成する撮像装置であって、所定の視野領域から光を集光し、この集光した光を光電変換することによって画像データを生成する撮像部と、前記撮像部が生成した画像データに対応する画像を表示する表示部と、前記撮像部における撮影を指示するレリーズ信号を含む信号の入力を受け付ける入力部と、当該撮像装置に対して施される操作を判定する操作判定部と、前記撮像部が撮影した撮影画像に対し、該撮影画像に対応する撮影動作と該撮影動作の一つ前の撮影動作との間に施された操作に関する操作情報を関連付け、この関連付けた撮影画像および操作情報を前記表示装置へ送信する制御を行う制御部と、を備えたことを特徴とする。
【００１８】
また、本発明に係る通信システムは、画像を撮像して該画像の電子的な画像データを生成する撮像装置と、前記撮像装置と通信可能であり、画像を含む情報を表示する表示装置とを有する通信システムであって、前記撮像装置は、所定の視野領域から光を集光し、この集光した光を光電変換することによって画像データを生成する撮像部と、前記撮像部が生成した画像データに対応する画像を表示する表示部と、前記撮像部における撮影を指示するレリーズ信号を含む信号の入力を受け付ける入力部と、当該撮像装置に対して施される操作を判定する操作判定部と、前記撮像部が撮影した撮影画像に対し、該撮影画像に対応する撮影動作と該撮影動作の一つ前の撮影動作との間に施された操作に関する操作情報を関連付け、この関連付けた撮影画像および操作情報を前記表示装置へ送信する制御を行う制御部と、備え、前記表示装置は、前記撮像装置から送信されてきた撮影画像および該撮影画像と関連付けられた操作情報に基づいて、該撮影画像に所定の変換を施した変換画像を生成する変換画像生成部と、前記撮影画像および該撮影画像をもとに前記変換画像生成部が生成した前記変換画像を前記表示部に所定の順序で連続的に表示させる制御を行う表示制御部と、を備えたことを特徴とする。
【発明の効果】
【００１９】
本発明によれば、操作判定部が判定した操作のうち入力部によってレリーズ信号が入力される前に行われた操作に基づいて、撮影画像に所定の変換を施した変換画像を生成し、互いに関連する撮影画像および変換画像を所定の順序で連続的に表示させるため、撮影者が静止画を撮影する際の撮影の意図を反映し、撮影者による撮影前の操作内容を追体験することが可能な再生表示を行うことができる。
【発明を実施するための最良の形態】
【００２０】
以下、添付図面を参照して本発明を実施するための最良の形態（以後、「実施の形態」と称する）を説明する。
【００２１】
（実施の形態１）
図１は、本発明の実施の形態１に係る撮像装置の構成を示すブロック図である。同図に示す撮像装置１は、所定の視野領域に含まれる被写体からの光を集光し、この集光した光を光電変換することによって得られる画像信号からデジタルの画像データを生成する撮像部２と、撮像部２が生成した画像データに対して画像処理を施す画像処理部３と、画像処理部３で処理が施された画像データに対応する画像を表示する表示部４と、レリーズ信号を含む撮像装置１の操作信号等の入力を受け付ける入力部５と、明るさを含む撮像部２の視野領域の状態を検知するセンサ部６と、撮影日時の判定機能やタイマー機能を有する時計７と、撮像装置１に対して施される操作を判定する操作判定部８と、外部の機器との間で所定の通信方式による情報の送受信を行う通信部９と、撮像部２が撮影した画像の画像データを含む各種情報を記憶する記憶部１０と、センサ部６の検知結果や入力部５から入力された操作信号に応じて撮像装置１の動作を制御する制御部１１と、を備える。
【００２２】
撮像部２は、一または複数のレンズによって構成され、所定の視野領域に存在する被写体からの光を集光する光学系と、光学系が集光した光の入射量を調整する絞りと、レリーズ信号に応じて動作するシャッタと、絞りおよびシャッタを通過した光を受光して電気信号に変換するＣＣＤ（Charge Coupled Device）等の撮像素子と、撮像素子から出力されるアナログ信号に増幅やホワイトバランス等の信号処理を施した後、Ａ／Ｄ変換を行うことによってデジタルの画像データを生成する信号処理回路とを有する。
【００２３】
画像処理部３は、操作判定部８が判定した操作のうち入力部５によってレリーズ信号が入力される前に行われた操作に基づいて、撮影画像に所定の変換を施した変換画像を生成する変換画像生成部３１を有する。変換画像生成部３１が生成する変換画像は、あくまでも再生時の視覚的な効果を得るための補助的な画像であるため、撮影画像よりもデータ量が小さい方がより好ましい。
【００２４】
表示部４は、液晶または有機ＥＬ等からなる表示パネルを用いて実現され、画像データのほかに撮像装置１の操作情報や撮影に関する情報を適宜表示する。
【００２５】
入力部５は、撮像装置１の電源ボタン、撮像指示を与えるレリーズ信号を入力するレリーズボタン、撮影時のズームや露出を調整するためのボタン、撮像装置１で設定可能な各種動作モードの切替を行うモード切替ボタン、画像データの再生や編集の指示を含む制御ボタン、などを有する。また、入力部５として表示部４にタッチパネルを積層することにより、ユーザが表示部４の上で操作信号の入力を行えるようにしてもよい。
【００２６】
センサ部６は、撮像装置１の動きを検出する加速度センサおよび／または角速度センサ、ＧＰＳ（Global Positioning System）から送られてくる情報を受信して撮像装置１の位置を検出する位置センサなどを有する。
【００２７】
通信部９は、画像を表示する表示装置２０１との間で無線ＬＡＮ（Local Area Network）または赤外通信などの無線通信を行う。なお、通信部９と表示装置２０１との間の通信を有線によって実現してもよい。
【００２８】
記憶部１０は、撮像部２が撮影し、画像処理部３によって処理が施された画像の画像データを記憶する画像データ記憶部１０１と、撮像装置１に対して撮影前に行われた操作に関する操作情報を記憶する操作情報記憶部１０２と、撮像部２が撮影した撮影画像を撮影前に行われた操作に関する操作情報と関連付けて記憶する関連付情報記憶部１０３と、撮像装置１が実行する各種プログラムを記憶するプログラム記憶部１０４とを有する。記憶部１０は、撮像装置１の内部に固定的に設けられるフラッシュメモリやＤＲＡＭ等の半導体メモリを用いて実現される。なお、記憶部１０が、外部から装着されるメモリカード等のコンピュータ読取可能な記録媒体に対して情報を記録する一方、記録媒体が記録する情報を読み出す記録媒体インターフェースとしての機能を有してもよい。
【００２９】
制御部１１は、ＭＰＵ（Micro Processing Unit）等を用いて実現され、撮像装置１の各構成部位とバスラインを介して接続されている。
【００３０】
図２は、以上の構成を有する撮像装置１で設定することが可能な主要モードの種類を示す図である。撮像装置１では、画像を撮影する撮影モードと、記憶部１０で記憶する各種画像データを再生する再生モードとを少なくとも設定することができる。
【００３１】
このうち、撮影モードでは、通常撮影モードと特殊撮影モードとを設定することができる。特殊撮影モードとは、撮影前に行われるズーミング、露出補正またはパンニング等の操作時に撮像部２が撮像する画像を記憶しておき、その操作情報と対応付けて記憶するモードである。
【００３２】
一方、再生モードでは、通常再生モード、画像送信モード、スライドショーモードの３種類のモードを設定することができる。通常再生モードは、画像データ記憶部１０１が記憶する画像のうち入力部５によって選択された画像を表示部４で再生表示するモードである。画像送信モードは、表示部４で再生表示している画像の画像データを表示装置２０１へ送信するモードである。スライドショーモードは、複数の画像を所定の順序で自動的かつ連続的に表示部４で表示するとともにそれらの画像に対応する画像データを表示装置２０１へ送信するモードである。
【００３３】
撮像装置１と通信し、撮像装置１から送信されてくる画像データに含まれる画像を表示する表示装置２０１は、テレビ、プロジェクタ、パソコン、デジタルフォトフレームのいずれかを用いて実現することができる。表示装置２０１は、撮像装置１から送信されてきた画像データに基づく画像の表示と、それ以外の機能に基づく画像の表示とを切り換える表示切換手段を具備している。
【００３４】
図３は、撮像装置１に特徴的な処理を行う状況を説明する図である。図３において、撮影者は、撮像装置１を用いて徐々にズームアップしていき、鹿Ｂの全身を撮影したとする。この場合に撮影された撮影画像を再生する際には、実際に撮影した撮影画像を表示するだけでなく、撮影者がズームアップを行っていたことを何らかの形で表示することができれば、鑑賞者は撮影者の撮影時の気分を擬似的に追体験することができる。本実施の形態１では、撮像装置１が特殊撮影モードに設定されている場合、撮影前の撮影者による操作を判定し、この操作情報を記憶しておく。その後、撮像装置１がスライドショーモードに設定されて撮影画像を再生する場合、撮影画像を表示するとともに、その撮影画像を撮影する前の操作の内容に応じた画像を生成して表示する。
【００３５】
図４は、スライドショーモードに設定された撮像装置１において、撮影者が撮影前にズームアップ操作を行った場合の表示部４および表示装置２０１における再生画像の表示例を示す図であり、図３に示す状況下で撮影した撮影画像を再生する場合の表示例を示す図である。図４において、表示部４には最初に撮影画像である画像３０１が表示される。その後で表示される画像３０２、３０３は、画像３０１の中央部を徐々に拡大していった変換画像である。この場合、画像３０２、３０３の表示時間は、画像３０１の表示時間よりも短く設定される。このようにして画像３０１を拡大した画像３０２、３０３を変換画像として生成して画像３０１の表示後に順次表示することにより、撮影者の撮影時における操作の概要を表示することが可能となる。その結果、画像の鑑賞者は、画像が単に再生表示される場合よりも撮影者の気分に浸りながら画像を鑑賞することができるようになる。なお、ここでは撮影者が撮影の前にズームアップ操作を行った場合を説明したが、撮影者が撮影の前にズームダウン操作を行った場合には、縮小した画像を画面の中央部に順次表示するようにしてもよい。
【００３６】
図５は、撮影者が撮像装置１を特殊撮影モードに設定した状態で露出補正操作を行ってから撮影した場合の表示部４および表示装置２０１における再生画像の表示例を示す図である。図５に示す場合、画像３０４〜３０６は、露出補正がプラスからマイナスへ徐々に変化していくように表示している場合を示している。３つの画像３０４〜３０６のうち、例えば画像３０６が撮影画像である場合には、他の画像３０４、３０５は、画像３０６から露出補正を行うことによって生成される変換画像である。この場合、画像３０６を他の画像３０４、３０５よりも長く表示すれば、スライドショーの鑑賞者は、どれが撮影画像であるかを的確に認識することができる。また、露出の異なる複数の画像を表示することにより、画面内の全ての場所を一連の画像のうちのいずれかの画像によって鮮明に表示することができる。
【００３７】
図６は、撮影者が撮像装置１を特殊撮影モードに設定した状態でパンニング操作により流し撮りした場合の再生画像の表示部４および表示装置２０１における表示例を示している。図６に示す４つの画像のうち、撮影画像は最後に表示される画像３１０である。図７は、画像３１０を撮影する際のパンニング操作の概要を示す図である。図７に示すように、撮影者は撮像装置１を馬Ｈの動きに合わせて水平方向左向きにパンニングしている。撮像装置１は、センサ部６の検出結果に基づいて、本体の動きを検知することができる。この動きが所定の条件を満たす場合、撮像装置１はパンニング操作が行われたと認識し、その操作内容を操作情報記憶部１０２へ記録する。
【００３８】
図６において、画像３１０の前に表示される３つの画像３０７〜３０９は、撮像装置１の動きに合わせて画像３１０から互いに異なる部分を切り出して拡大することによって生成した変換画像である。このような画像３０７〜３０９を用いた表示によれば、馬Ｈの疾走感を表現することによって画像３１０を撮影した際のパンニング操作の概要を鑑賞者に視覚的に認識させることができる。この場合にも、撮影画像である画像３１０の表示時間を他の画像３０７〜３０９の表示時間よりも長くすれば、鑑賞者は画像３１０が撮影画像であることを的確に認識することができる。なお、ここでは水平方向のパンニング操作を行った場合を説明したが、垂直方向のパンニング操作（チルティング操作）の場合にも同様に表示することができる。また、撮影画像を最後に表示する代わりに、変換画像の間に表示するようにしてもよい。
【００３９】
通常の設定では、露出やピントなど、ほとんどの制御はオートでなされるので、撮影者がオート設定されている操作をあえて手動に切り換えて操作するのは、凝った画像を撮影したいと考えている場合だと想定することができる。したがって、上記の如く手動操作に対応した変換画像を生成して撮影画像と連続的に表示することにより、撮影者の意図を明確に反映した再生表示を行うことが可能となる。
【００４０】
図８は、撮像装置１が撮影モードまたは再生モードに設定されている場合の処理の概要を示すフローチャートである。まず、撮影モードに設定されている場合を説明する（ステップＳ１：撮影モード）。
【００４１】
撮影モードのうち通常撮影モードに設定されている場合（ステップＳ２：通常撮影モード）、表示部４は、撮像部２が撮像している画像（スルー画像）を表示する（ステップＳ３）。この後、入力部５によってレリーズ信号が入力された場合（ステップＳ４：Ｙｅｓ）、撮像部２は撮影を行う（ステップＳ５）。その後、撮像装置１は、画像処理部３によって画像処理が施された画像の画像データを画像データ記憶部１０１へ記録する（ステップＳ６）。入力部５によってレリーズ信号が入力されない場合（ステップＳ４：Ｎｏ）、撮像装置１は後述するステップＳ７へ進む。
【００４２】
ステップＳ７において、入力部５によって撮影を終了する信号が入力された場合（ステップＳ７：Ｙｅｓ）、撮像装置１は一連の処理を終了する。一方、ステップＳ７において、入力部５によって撮影を終了する信号が入力されない場合（ステップＳ７：Ｎｏ）、撮像装置１はステップＳ１へ戻る。
【００４３】
次に、撮像装置１が特殊撮影モードに設定されている場合を説明する（ステップＳ２：特殊撮影モード）。表示部４がスルー画像を表示（ステップＳ８）した後、撮像装置１に対してレリーズ以外の操作があった場合（ステップＳ９：Ｙｅｓ）、撮像装置１は操作情報を操作情報記憶部１０２へ書き込んで記録する（ステップＳ１０）。その後、入力部５によってレリーズ信号が入力されると（ステップＳ１１：Ｙｅｓ）、撮像部２は撮影動作を行う（ステップＳ１２）。この後、撮像装置１は、撮影した画像を操作情報と関連付けて関連付情報記憶部１０３へ記録し（ステップＳ１３）、ステップＳ７へ進む。なお、ステップＳ９でレリーズ以外の操作がない場合（ステップＳ９：Ｎｏ）、撮像装置１はステップＳ１１へ進む。また、ステップＳ１１で入力部５によってレリーズ信号が入力されない場合（ステップＳ１１：Ｎｏ）、撮像装置１はステップＳ７へ進む。
【００４４】
次に、撮像装置１が再生モードに設定されている場合（ステップＳ１４：Ｙｅｓ）を説明する。撮像装置１がスライドショーモードに設定されている場合（ステップＳ１４：Ｙｅｓ）、撮像装置１はユーザによって選択されたスライドショー用の画像を表示部４でスライドショー表示するとともに、通信部９によって表示装置２０１へ順次送信する（ステップＳ１５）。その後、入力部５によって再生を終了する信号が入力された場合（ステップＳ１６：Ｙｅｓ）、撮像装置１は一連の処理を終了する。一方、入力部５によって再生を終了する信号が入力されない場合（ステップＳ１６：Ｎｏ）、撮像装置１はステップＳ１へ戻る。
【００４５】
撮像装置１がスライドショーモードに設定されてなく（ステップＳ１４：Ｎｏ）、かつ画像送信モードに設定されている場合（ステップＳ１７：Ｙｅｓ）、撮像装置１は、ユーザによって選択された画像を表示部４で表示するとともに、通信部９によって表示装置２０１へ送信する（ステップＳ１８）。表示装置２０１は、撮像装置１から受信した画像を表示する。以下、表示装置２０１に送信された画像は、表示装置２０１で順次表示されるものとする。
【００４６】
その後、入力部５によって削除指示が入力された場合（ステップＳ１９：Ｙｅｓ）、撮像装置１は表示部４で表示している画像の画像データを画像データ記憶部１０１から削除し（ステップＳ２０）、ステップＳ１６へ進む。一方、入力部５によって削除指示が入力されない場合（ステップＳ１９：Ｎｏ）、ステップＳ１６へ進む。
【００４７】
撮像装置１がスライドショーモードに設定されてなく（ステップＳ１４：Ｎｏ）、かつ画像送信モードにも設定されていない場合（ステップＳ１７：Ｎｏ）、撮像装置１は通常再生モードに設定されているため、撮影者によって選択された画像を表示部４で表示し（ステップＳ２１）、ステップＳ１９へ進む。
【００４８】
図９は、図８のステップＳ１５におけるスライドショー用の画像の表示、送信処理の詳細を示すフローチャートである。まず、ユーザによって選択されて再生する撮影画像と関連する操作がない場合（ステップＳ３１：Ｎｏ）、撮像装置１は撮影画像を表示部４で表示するとともに、通信部９によって表示装置２０１へ送信する（ステップＳ３２）。その後、所定の時間ｔ0が経過したとき（ステップＳ３３：Ｙｅｓ）、次に表示すべき撮影画像があれば（ステップＳ３４：Ｙｅｓ）、撮像装置１はステップＳ３１へ戻る一方、次に表示すべき撮影画像がなければ（ステップＳ３４：Ｎｏ）、撮像装置１は図８に示すメインルーチンへ戻ってステップＳ１６へ進む。ステップＳ３３で時間ｔ0が経過していない場合（ステップＳ３３：Ｎｏ）、撮像装置１はステップＳ３３を繰り返す。
【００４９】
次に、ユーザによって選択されて再生する撮影画像と関連する操作がある場合（ステップＳ３１：Ｙｅｓ）を説明する。この場合、撮像装置１は、再生する撮影画像と関連する操作情報を関連付情報記憶部１０３から読み出す（ステップＳ３５）。
【００５０】
関連付情報記憶部１０３から読み出した操作情報がズーミングである場合（ステップＳ３６：Ｙｅｓ）、操作判定部８はズーミングのスピード判定を行い（ステップＳ３７）、この判定結果に基づいて変換画像生成部３１が生成する変換画像の表示時間ｔ1および変換画像生成部３１が生成すべき変換画像の総数ｐを設定する（ステップＳ３８）。ここで操作判定部８は、例えばズーミングのスピードが速いほど表示時間ｔ1を短くするように設定する。
【００５１】
その後、制御部１１は、撮影画像を表示部４で表示させるとともに通信部９を介して表示装置２０１へ送信させる（ステップＳ３９）。ステップＳ３９で表示部４が撮影画像を表示し始めてから時間ｔ0が経過した場合（ステップＳ４０：Ｙｅｓ）、撮像装置１はステップＳ４１へ進む。一方、表示部４で撮影画像を表示し始めてから時間ｔ0が経過しない場合（ステップＳ４０：Ｎｏ）、撮像装置１はステップＳ４０を繰り返す。
【００５２】
続いて、制御部１１は繰り返しの回数をカウントするパラメータｍをゼロとし（ステップＳ４１）、パラメータｍを１増やした値（ｍ＋１）を新たなパラメータｍとおく（ステップＳ４２）。
【００５３】
この後、変換画像生成部３１は、所定の倍率で拡大または縮小した後、所定の領域を切り出すことによって変換画像Ｐmを生成する（ステップＳ４３）。その後、制御部１１は、変換画像Ｐmを表示部４で表示させるとともに通信部９を介して表示装置２０１へ送信させる（ステップＳ４４）。
【００５４】
ステップＳ４４で表示部４が変換画像Ｐmを表示し始めてから表示時間ｔ1が経過した場合（ステップＳ４５：Ｙｅｓ）、パラメータｍが変換画像の総数ｐに等しければ（ステップＳ４６：Ｙｅｓ）、撮像装置１はステップＳ３４へ進む。一方、ステップＳ４６でパラメータｍが変換画像の総数ｐに等しくなければ（ステップＳ４６：Ｎｏ）、撮像装置１はステップＳ４２に戻る。なお、表示部４が変換画像Ｐmを表示し始めてから表示時間ｔ1が経過しない場合（ステップＳ４５：Ｎｏ）、撮像装置１はステップＳ４５を繰り返す。
【００５５】
このようにして、撮影画像に関連する操作情報がズーミングに関するものである場合の処理を行うことにより、図４で示した表示が実現されることとなる。
【００５６】
関連付情報記憶部１０３から読み出した操作情報がズーミングでなく（ステップＳ３６：Ｎｏ）、かつ露出補正である場合（ステップＳ４７：Ｙｅｓ）、変換画像生成部３１は、撮影画像に露出補正ΔＳ1（＞０）を施した変換画像Ｑ1を生成する（ステップＳ４８）。その後、制御部１１は、変換画像Ｑ1を表示部４で表示させるとともに通信部９を介して表示装置２０１へ送信する（ステップＳ４９）。
【００５７】
続いて、制御部１１は繰り返しの回数をカウントするパラメータｍをゼロとし（ステップＳ５０）、パラメータｍを１増やした値（ｍ＋１）を新たなパラメータｍとおく（ステップＳ５１）。
【００５８】
この後、変換画像生成部３１は、変換画像Ｑmに露出補正−ΔＳ2（＜０）を施すことによって変換画像Ｑm+1を生成する（ステップＳ５２）。なお、ΔＳ1＞ΔＳ2（＞０）であり、かつΔＳ1はΔＳ2の倍数であるとする。これらの条件により、変換画像の中には撮影画像からの露出補正の総和ΔＳがゼロであり、撮影画像と実質的に同じ画像が含まれることとなる。
【００５９】
ステップＳ５２の後、制御部１１は、変換画像Ｑm+1を表示部４で表示させるとともに通信部９を介して表示装置２０１へ送信させる（ステップＳ５３）。
【００６０】
続くステップＳ５４において、ステップＳ５２で生成した変換画像Ｑm+1の露出補正の総和ΔＳがゼロである場合（ステップＳ５４：Ｙｅｓ）、表示部４は変換画像Ｑm+1を時間ｔ0だけ表示する。すなわち、表示部４が変換画像Ｑm+1を表示し始めてから時間ｔ0が経過していれば（ステップＳ５５：Ｙｅｓ）、撮像装置１は後述するステップＳ５７へ進む一方、表示部４が変換画像Ｑm+1を表示し始めてから時間ｔ0が経過していなければ（ステップＳ５５：Ｎｏ）、撮像装置１はステップＳ５５を繰り返す。
【００６１】
他方、ステップＳ５４において、変換画像Ｑm+1の露出補正の総和ΔＳがゼロでない場合（ステップＳ５４：Ｎｏ）、表示部４は変換画像Ｑm+1を時間ｔ2（＜ｔ0）だけ表示する。すなわち、表示部４が変換画像Ｑm+1を表示し始めてから時間ｔ2が経過していれば（ステップＳ５６：Ｙｅｓ）、撮像装置１は後述するステップＳ５７へ進む一方、表示部４が変換画像Ｑm+1を表示し始めてから時間ｔ2が経過していなければ（ステップＳ５６：Ｎｏ）、撮像装置１はステップＳ５６を繰り返す。
【００６２】
ステップＳ５７では、変換画像Ｑm+1の撮影画像からの露出補正の総和ΔＳが所定の下限値−ｑ（ｑ＞０）よりも大きい場合（ステップＳ５７：Ｙｅｓ）、撮像装置１はステップＳ５１へ戻る。一方、変換画像Ｑm+1の撮影画像からの露出補正の総和ΔＳが−ｑ以下である場合（ステップＳ５７：Ｎｏ）、撮像装置１はステップＳ３４へ進む。
【００６３】
このようにして、関連付情報記憶部１０３が記憶する操作情報が露出補正に関するものである場合の処理を行うことにより、図５で示した表示が実現されることとなる。
【００６４】
関連付情報記憶部１０３から読み出した操作情報がズーミングでなく（ステップＳ３６：Ｎｏ）、かつ露出補正でない場合（ステップＳ４７：Ｎｏ）、操作情報はパンニングに関するものである。この場合、制御部１１は、操作判定部８が判定した撮像装置１の動きの方向に基づいて、変換画像として切り出すべき小領域Ｄ1〜Ｄrを設定する（ステップＳ５８）。図１０は、図６に示す表示を行う際の小領域の設定例を示す図である。図１０では、３つの小領域Ｄ1〜Ｄ3が設定された場合すなわち小領域の総数ｒが３である場合を示している。これら３つの小領域Ｄ1〜Ｄ3は、Ｄ1、Ｄ2、Ｄ3の順に、撮影画像である画像３１０の中で撮像装置１の撮影前の動きの方向（水平方向左向き：図７を参照）と反対方向（水平方向右向き）に推移している。
【００６５】
続いて、制御部１１は繰り返しの回数をカウントするパラメータｍをゼロとし（ステップＳ５９）、パラメータｍを１増やした値（ｍ＋１）を新たなパラメータｍとおく（ステップＳ６０）。
【００６６】
この後、変換画像生成部３１は、撮影画像の小領域Ｄmを切り出して撮影画像と同じ面積に拡大することによって変換画像Ｒmを生成する（ステップＳ６１）。図１１は、変換画像生成部３１が撮影画像である画像３１０の小領域Ｄ1から変換画像Ｒ1に相当する画像３０７を生成する状況を模式的に示す図である。
【００６７】
続いて、制御部１１は、変換画像Ｒmを表示部４で表示させるとともに通信部９を介して表示装置２０１へ送信させる（ステップＳ６２）。
【００６８】
ステップＳ６２で表示部４が変換画像Ｒmを表示し始めてから所定の時間ｔ3（＜ｔ0）が経過した場合（ステップＳ６３：Ｙｅｓ）、パラメータｍが小領域の総数ｒに等しければ（ステップＳ６４：Ｙｅｓ）、制御部１１は、撮影画像を表示部４で表示させるとともに通信部９を介して表示装置２０１へ送信させる（ステップＳ６５）。一方、ステップＳ６４でパラメータｍが小領域の総数ｒに等しくなければ（ステップＳ６４：Ｎｏ）、撮像装置１はステップＳ６０に戻る。なお、表示部４が変換画像Ｒmを表示し始めてから所定の時間ｔ3（＜ｔ0）が経過しない場合（ステップＳ６３：Ｎｏ）、撮像装置１はステップＳ６３を繰り返す。
【００６９】
ステップＳ６５で表示部４が撮影画像を表示し始めてから時間ｔ0が経過した場合（ステップＳ６６：Ｙｅｓ）、撮像装置１はステップＳ３４へ進む。一方、表示部４で撮影画像を表示し始めてから時間ｔ0が経過しない場合（ステップＳ６６：Ｎｏ）、撮像装置１はステップＳ６６を繰り返す。
【００７０】
このようにして、関連付情報記憶部１０３が記憶する操作情報がパンニングに関するものである場合の処理を行うことにより、図６で示した表示が実現されることとなる。
【００７１】
以上説明した本発明の実施の形態１によれば、操作判定部８が判定した操作のうち入力部５によってレリーズ信号が入力される前に行われた操作に基づいて、撮影画像に所定の変換を施した変換画像を生成し、互いに関連する撮影画像および変換画像を所定の順序で連続的に表示させるため、撮影者が静止画を撮影する際の撮影の意図を反映した再生表示を行うことが可能となる。この結果、鑑賞者は撮影者の操作を追体験し、撮影者が撮影時に感じた心情に近い気持ちで再生画像を鑑賞することができる。
【００７２】
また、本実施の形態１によれば、表示部４と比較して大きな画面を有する表示装置２０１へ画像データを送信することによって表示装置２０１で画像を表示させることができるため、画像を大人数で見て楽しむことが可能となる。
【００７３】
なお、本実施の形態１において、撮像装置１は、スライドショーモードに設定されている場合にのみ、特殊撮影モードで撮影した画像を図４〜図６に示すように再生表示することとしたが、他の再生モードで同様の表示を行うようにしてもよい。
【００７４】
また、本実施の形態１において、撮像装置１は、画像送信モードやスライドショーモードに設定されている場合には、表示装置２０１の存在の有無に関わらず画像データを送信するようにしていたが、画像データを送信する前に表示装置２０１等の外部装置との通信が確立した場合に限って画像データを送信するような構成とすることも可能である。
【００７５】
（実施の形態２）
本発明の実施の形態２は、表示装置が変換画像の生成を行うことを特徴とする。このため、撮像装置は、スライドショーモードに設定されている場合、互いに関連付けられた撮影画像および操作情報を表示装置へ送信する。
【００７６】
図１２は、本実施の形態２に係る通信システムの構成を示すブロック図である。同図に示す通信システム１０００は、相互に通信可能な撮像装置２１および表示装置４０１からなる。
【００７７】
撮像装置２１は、撮像部２、画像処理部２２、表示部４、入力部５、センサ部６、時計７、操作判定部８、通信部９、記憶部１０および制御部１１を備える。画像処理部２２は、上述した画像処理部３とは異なり、変換画像を生成する機能を有しない。
【００７８】
表示装置４０１は、撮像装置２１との間で画像情報を含む各種情報の送受信を行う通信部４０２と、操作指示を含む各種情報の入力を受け付ける入力部４０３と、外部から受信した画像データに含まれる画像に対して画像処理を施す画像処理部４０４と、画像処理部４０４によって処理が施された画像を表示する表示部４０５と、外部から受信した画像データを含む各種情報を記憶する記憶部４０６と、表示装置４０１の動作を制御する表示制御部４０７と、を備える。
【００７９】
画像処理部４０４は、撮像装置２１から受信した撮影画像および操作情報に基づいて撮影画像に所定の変換を施した変換画像を生成する変換画像生成部４４１を有する。
【００８０】
表示部４０５は、液晶または有機ＥＬ等を用いて実現される。表示部４０５が大画面を有していれば、大人数で画像を見るのに好適である。
【００８１】
記憶部４０６は、撮像装置２１から受信し、互いに関連付けられている撮影画像および操作情報を記憶する関連付情報記憶部４６１と、表示装置２０１が実行する各種プログラムを記憶するプログラム記憶部４６２とを有する。
【００８２】
表示制御部４０７はＭＰＵ等を用いて実現され、表示装置４０１の各構成部位とバスラインを介して接続されている。
【００８３】
以上の構成を有する表示装置４０１は、例えばテレビ、プロジェクター、パソコン、デジタルフォトフレームのいずれかを用いて実現することができる。この場合には、撮像装置２１から送られてきた画像データに基づく画像の表示と、それ以外の機能に基づく画像の表示とを切り換える表示切換手段を表示装置４０１に具備させておけばよい。
【００８４】
図１３は、撮像装置２１が撮影モードまたは再生モードに設定されている場合の処理の概要を示すフローチャートである。図１３に示すフローチャートにおいて、ステップＳ１１５を除くステップＳ１０１〜Ｓ１１４、Ｓ１１６〜Ｓ１２０の処理は、図８に示すフローチャートのステップＳ１〜Ｓ１４、Ｓ１６〜Ｓ２０の処理とそれぞれ同じである。
【００８５】
ステップＳ１１５において、通信部９は、スライドショー用の画像を表示装置４０１へ順次送信する（ステップＳ１１５）。なお、表示部４ではスライドショー用の画像の表示は行わない。
【００８６】
以下、図１４のフローチャートを参照して、ステップＳ１１５におけるスライドショー用の画像の送信処理の詳細を説明する。ユーザによって選択されて再生する撮影画像と関連する操作がない場合（ステップＳ１３１：Ｎｏ）、通信部９が撮影画像を表示装置４０１へ送信する（ステップＳ１３２）。その後、次に送信すべき撮影画像があれば（ステップＳ１３３：Ｙｅｓ）、撮像装置２１はステップＳ１３１へ戻る一方、次に送信すべき撮影画像がなければ（ステップＳ１３３：Ｎｏ）、撮像装置２１は図１３に示すメインルーチンへ戻ってステップＳ１１６へ進む。
【００８７】
一方、ユーザによって選択されて再生する撮影画像と関連する操作がある場合（ステップＳ１３１：Ｙｅｓ）、通信部９は互いに関連付けられた撮影画像および操作情報を表示装置４０１へ送信する（ステップＳ１３４）。その後、撮像装置２１はステップＳ１３３へ進む。
【００８８】
図１５は、表示装置４０１が撮像装置２１から受信した撮影画像および操作情報に基づいて行う処理の詳細を示すフローチャートである。以下に示す処理を行う前提として、表示装置４０１は撮像装置２１との通信が確立しているものとする。
【００８９】
まず、通信部４０２が再生する撮影画像およびこの撮影画像に関連付けられた操作情報を受信しない場合（ステップＳ１４１：Ｎｏ）、所定時間が経過していれば（ステップＳ１４２：Ｙｅｓ）、表示装置４０１は通信部４０２を介して撮像装置２１へエラー信号を送信し（ステップＳ１４３）、表示部４０５でエラー表示を行う（ステップＳ１４４）。ステップＳ１４２で所定時間が経過していない場合（ステップＳ１４２：Ｎｏ）、表示装置４０１はステップＳ１４１へ戻る。
【００９０】
その後、入力部４０３によってスライドショーを終了する信号が入力された場合（ステップＳ１４５：Ｙｅｓ）、表示装置４０１は一連の処理を終了する。一方、入力部４０３によってスライドショーを終了する信号が入力されない場合（ステップＳ１４５：Ｎｏ）、表示装置４０１はステップＳ１４１へ戻る。
【００９１】
次に、通信部４０２が再生する撮影画像およびこの撮影画像に関連付けられた操作情報を受信した場合（ステップＳ１４１：Ｙｅｓ）を説明する。この場合に続けて行われるステップＳ１４６〜Ｓ１７６の処理は、図９に示すステップＳ３６〜Ｓ６６の処理に順次対応している。ただし、図１５は表示装置４０１の処理であるため、ステップＳ１４９、Ｓ１５４、Ｓ１５９、Ｓ１６３、Ｓ１７２およびＳ１７５において、各種画像の送信は行わない。
【００９２】
以上説明した本発明の実施の形態２によれば、撮像装置２１は操作判定部８が判定した操作のうち入力部５によってレリーズ信号が入力される前に行われた操作の操作情報を撮影画像と関連付けて表示装置４０１へ送信し、表示装置４０１は受信した撮影画像および操作情報に基づいて撮影画像に所定の変換を施した変換画像を生成し、この生成した変換画像と撮影画像を所定の順序で連続的に表示するため、撮影者が静止画を撮影する際の撮影の意図を反映した再生表示を行うことが可能となる。この結果、鑑賞者は撮影者の操作を追体験し、撮影者が撮影時に感じた心情に近い気持ちで再生画像を鑑賞することができる。
【００９３】
また、本実施の形態２によれば、撮像装置２１では変換画像を生成する必要がないため、表示装置４０１へ送信するデータ量を軽減することができ、より迅速にデータの送信を行うことができる。
【００９４】
また、本実施の形態２によれば、表示装置４０１で変換画像を含む画像の再生を行うため、パーティのように大人数で再生画像を鑑賞するのに好適である。
【００９５】
（付記）
画像を撮像して該画像の電子的な画像データを生成する撮像装置との間で画像データを含む情報の通信を行う通信部と、
前記撮像装置から受信した画像データに対応する画像を表示する表示部と、
前記通信部が前記撮像装置から受信した撮影画像および該撮影画像と関連付けられた操作情報に基づいて、該撮影画像に所定の変換を施した変換画像を生成する変換画像生成部と、
前記撮影画像および該撮影画像をもとに前記変換画像生成部が生成した前記変換画像を前記表示部に所定の順序で連続的に表示させる制御を行う表示制御部と、
を備えたことを特徴とする表示装置。
【００９６】
（その他の実施の形態）
ここまで、本発明を実施するための最良の形態を詳述してきたが、本発明は上述した二つの実施の形態によってのみ限定されるべきものではない。図１６は、本発明の別な実施の形態に係る撮像装置が撮影モードまたは再生モードに設定されている場合の処理の概要を示すフローチャートである。図１６において、図８のフローチャートと同じ処理については、図８と同じステップ番号を付してある。図１６に示すフローチャートでは、画像送信モードまたは通常再生モードに設定されている場合において画像の削除指示があったときの処理が、図８のフローチャートと異なっている。具体的には、ステップＳ１９で入力部によって削除指示が入力された場合（ステップＳ１９：Ｙｅｓ）、画像処理部は画像を小さい容量へリサイズする（ステップＳ２２）。具体的には、元の画像の５％程度の画像データへ縮小する。その後、撮像装置は、圧縮した画像を前後の撮影画像と関連付けて関連付情報記憶部へ記録し（ステップＳ２３）、元の画像を削除（ステップＳ２４）した後、ステップＳ１６へ進む。
【００９７】
このように、画像送信モードまたは通常再生モードに設定されている場合において削除指示が入力されたとき、削除対象の画像をリサイズして記憶しておき、スライドショーモードに設定された場合に変換画像の一部として使用するようにしてもよい。
【００９８】
なお、ここでは画像送信モードまたは通常再生モードに設定されている場合において削除指示が入力された場合を説明したが、例えば通常撮影モードで撮影を行った直後に撮影者が削除できる構成とした場合には、撮影直後に削除された画像をリサイズして記憶しておき、その後で撮影されて保存された画像に関連付けておき、その画像をスライドショーモードで再生する際に変換画像の一部として利用してもよい。
【００９９】
また、本発明において、操作判定部が判定対象とする操作として上記以外の操作を含めることも可能である。
【図面の簡単な説明】
【０１００】
【図１】本発明の実施の形態１に係る撮像装置の構成を示すブロック図である。
【図２】本発明の実施の形態１に係る撮像装置で設定することが可能な主要モードの種類を示す図である。
【図３】本発明の実施の形態１に係る撮像装置に特徴的な処理を行う状況を説明する図である。
【図４】本発明の実施の形態１に係る撮像装置が特殊撮影モードに設定された状態で撮影した画像をスライドショーモードに設定された状態で再生表示する場合の画像の表示例（撮影前にズーミング操作が行われた場合）を示す図である。
【図５】本発明の実施の形態１に係る撮像装置が特殊撮影モードに設定された状態で撮影した画像をスライドショーモードに設定された状態で再生表示する場合の画像の表示例（撮影前に露出補正操作が行われた場合）を示す図である。
【図６】本発明の実施の形態１に係る撮像装置が特殊撮影モードに設定された状態で撮影した画像をスライドショーモードに設定された状態で再生表示する場合の画像の表示例（撮影前にパンニング操作が行われた場合）を示す図である。
【図７】本発明の実施の形態１に係る撮像装置を用いたパンニング操作の概要を示す図である。
【図８】本発明の実施の形態１に係る撮像装置が撮影モードまたは再生モードに設定されている場合の処理の概要を示すフローチャートである。
【図９】本発明の実施の形態１に係る撮像装置がスライドショーモードに設定されている場合にスライドショー用の画像の表示、送信処理の詳細を示すフローチャートである。
【図１０】図６に示す表示を行う際の小領域の設定例を模式的に示す図である。
【図１１】変換画像生成部が変換画像を生成する状況を模式的に示す図である。
【図１２】本発明の実施の形態２に係る通信システムの構成を示すブロック図である。
【図１３】本発明の実施の形態２に係る撮像装置が撮影モードまたは再生モードに設定されている場合の処理の概要を示すフローチャートである。
【図１４】本発明の実施の形態２に係る撮像装置がスライドショーモードに設定されている場合にスライドショー用の画像の送信処理の詳細を示すフローチャートである。
【図１５】本発明の実施の形態２に係る通信システムにおいて、表示装置が撮像装置から受信した撮影画像および操作情報に基づいて行う処理の詳細を示すフローチャートである。
【図１６】本発明の別な実施の形態に係る撮像装置が撮影モードまたは再生モードに設定されている場合の処理の概要を示すフローチャートである。
【符号の説明】
【０１０１】
１、２１  撮像装置
２  撮像部
３、２２、４０４  画像処理部
４、４０５  表示部
５、４０３  入力部
６  センサ部
７  時計
８  操作判定部
９、４０２  通信部
１０、４０６  記憶部
１１  制御部
３１、４４１  変換画像生成部
１０１  画像データ記憶部
１０２  操作情報記憶部
１０３、４６１  関連付情報記憶部
１０４、４６２  プログラム記憶部
２０１、４０１  表示装置
３０１〜３１０  画像
４０７  表示制御部
１０００  通信システム
Ｂ  鹿
Ｈ  馬
Ｄ1〜Ｄ3  小領域
【図１】
2010193314.tif 000003
【図２】
2010193314.tif 000004
【図３】
2010193314.tif 000005
【図４】
2010193314.tif 000006
【図５】
2010193314.tif 000007
【図６】
2010193314.tif 000008
【図７】
2010193314.tif 000009
【図８】
2010193314.tif 000010
【図９】
2010193314.tif 000011
【図１０】
2010193314.tif 000012
【図１１】
2010193314.tif 000013
【図１２】
2010193314.tif 000014
【図１３】
2010193314.tif 000015
【図１４】
2010193314.tif 000016
【図１５】
2010193314.tif 000017
【図１６】
2010193314.tif 000018